Podtech/llm-jp-corpus-v4-ja_patent huggingface dataset:
(57)【要約】【課題】洗たく物を干す際に、悪天候の時や冬場など、また厚手の衣服などは、非常に乾きにくい。【解決手段】そこで、洗たく物の前身頃と後身頃の空間を広くし、ひいてはそでの部分にも空間をもたせ、洗たく物の内側の空気の流通をよくすることによって、洗たく物をより効率よく乾かし、しかも型崩れを起こしにくい、体型に沿った立体的な形をした速乾洗たく物干しハンガーを考案した。【選択図】  図１
0003105202.tif 000002
【実用新案登録請求の範囲】
【請求項１】
体型に沿った立体的な形で、ちょうどベストを両脇で切り開きバストから
上の部分だけ切り取ったような形をしていて、全体的にメッシュになっていて、その周囲
を平らな面による縁取りをし、その端を内側に曲げて丸みをもたせていることを特徴とする、首もとの中央部から物干し竿等に懸吊可能なフックを有する合成樹脂からなる衣服等の洗たく物干しハンガーである。
【考案の詳細な説明】
【考案の開示】
【考案が解決しようとする課題】
【０００１】
従来のハンガーの場合、洗たく物を干したとき前身頃と後身頃の空間が非常に狭く、洗たく物の内側の空気の流通が悪いため、悪天候の時や冬場など、また厚手の衣服は乾きにくい。
【課題を解決するための手段】
【０００２】
体型に沿った立体的なハンガーをつくることにより、洗たく物の前身頃と後身頃の空間を広くし、ひいてはそでの部分にも空間をもたせ、洗たく物の内側の空気の流通をよくすることによって、洗たく物の乾きをより効率よくした。
【考案の効果】
【０００３】
本考案速乾洗たく物干しハンガーは、体型に沿った立体的な形になっているため、洗たく物の内側の空気の流通がよくなり、より効率的に洗たく物が乾き、しかも型崩れしにくい。
【実施例】
【０００４】
図１は、本考案速乾洗たく物干しハンガーの全図である。
【０００５】
この速乾洗たく物干しハンガーに、衣服をかぶせるように図２のように干す。
【図面の簡単な説明】
【０００６】
【図１】…本考案速乾洗たく物干しハンガーの全図である。
【図２】…本考案速乾洗たく物干しハンガーに、洗たく物を干した図である。
【符号の説明】
【０００７】
１メッシュになっている。
２平らな面による縁取りで、その端を内側に曲げて丸みをもたせ、洗たく物に干しあとがつかないようにしている。
３物干し竿等に懸吊可能なフックである。
４洗たく物
【図１】
0003105202.tif 000003
【図２】
0003105202.tif 000004
(57)【要約】【課題】  本考案は冷凍ユニット付きトラックにおいて、簡単かつ安価にその荷箱を２分割にして、食品を冷凍および冷蔵しながら運送できようにしたものである。【解決手段】  本考案は、トラックの荷箱の前壁に冷凍ユニットを有する荷箱内において、複数の突っ張り棒を荷箱の天井と床との間に立設し、突っ張り棒と突っ張り棒との間に取付け金具で開閉用窓を有する断熱隔壁を取付け、また、冷凍ユニットを覆うように断熱隔壁８を取付ける。そして、荷箱内を２分割し、冷凍室と冷蔵室とを簡単に設けられ、冷凍室の面積と冷蔵室の面積を自由に変更できることを特徴とする車両用冷凍冷蔵コンテナである。【選択図】  図１
0003105210.tif 000002
【実用新案登録請求の範囲】
【請求項１】
トラックの荷箱の前壁に冷凍ユニットを有する荷箱内において、複数の突っ張り棒を荷箱の天井と床との間に立設し、突っ張り棒と突っ張り棒との間に取付け金具で開閉用窓を有する断熱隔壁を取付け、荷箱内を２分割することを特徴とする車両用冷凍冷蔵コンテナ。
【請求項２】
トラックの荷箱の前壁に冷凍ユニットを有する荷箱内において、複数の突っ張り棒を荷箱の天井と床との間に立設し、突っ張り棒と突っ張り棒との間に取付け金具で開閉用窓を有する断熱隔壁を取付け、また、突っ張り棒と突っ張り棒との間に取付け金具で冷凍ユニットを覆うように略箱型の断熱隔壁を取付け、断熱隔壁の下端は荷箱の床に当接し、断熱隔壁の上端は荷箱の天井に当接し、荷箱の前壁に略当接した断熱隔壁の上端は略箱型の断熱隔壁の底面に当接してなる車両用冷凍冷蔵コンテナ。
【考案の詳細な説明】
【技術分野】
【０００１】
本考案は、トラック荷箱の冷凍冷蔵コンテナに関するものである。
【背景技術】
【０００２】
トラック荷箱には、冷凍専用コンテナであったり、冷蔵専用コンテナであったり、又は固定間仕切りを設けた冷凍・冷蔵兼用コンテナが存在する。
【考案の開示】
【考案が解決しようとする課題】
【０００３】
従来の固定式間仕切り冷凍・冷蔵兼用コンテナは、固定式間仕切りで冷凍室と冷蔵室を設けているが、固定式であるため冷凍室の面積と冷蔵室の面積を自由に変更することができない。また、冷気を冷蔵室に送り込むための送風機や過熱機を設けている場合がある。
そこで、冷凍室と冷蔵室の面積を自由に簡単に変更することができること、また、特段の装置を不要とし、しかも間仕切りが安価にできることが課題である。
【課題を解決するための手段】
【０００４】
本考案は、トラックの荷箱の前壁に冷凍ユニットを有する荷箱内において、複数の市販の突っ張り棒を荷箱の天井と床との間に立設し、突っ張り棒と突っ張り棒との間に取付け金具で開閉用窓を有する断熱隔壁を取付け、荷箱内を２分割することを特徴とする車両用冷凍コンテナである。  
【考案の効果】
【０００５】
本考案の冷凍コンテナは、トラック1台で２種の温度差のある食品を運ぶことができる。例えば、冷凍、冷蔵の温度差がある食品を輸送することができる。また、冷凍する食品と冷蔵する食品との数量に合わせて断熱隔壁を設定すれば、冷凍の面積と冷蔵の面積とを簡単に望み通り変更することができる。さらに、組立て式なので不要の時は取り外すことができる。しかも、突っ張り棒、断熱隔壁は安価に製作できるので、冷凍コンテナ付きトラックであれば、簡単に取付けが可能である。
【考案を実施するための最良の形態】
【０００６】
本考案は、トラックの荷箱の前壁に冷凍ユニットを有する荷箱内において、複数の市販の突っ張り棒を荷箱の天井と床との間に立設し、突っ張り棒と突っ張り棒との間に取付け金具で開閉用窓を有する断熱隔壁を取付け、また、冷凍ユニットを覆うように断熱隔壁８を取付ける。そして、荷箱内を２分割することを特徴とする車両用冷凍コンテナである
【実施例１】
【０００７】
図１および図2は、本考案の一実施例であって、トラックの荷箱１の前壁１ａに冷凍ユニット２を有する荷箱１内において、複数の市販の突っ張り棒３ａ、３ｂ、３ｃ、３ｄ、３ｅを荷箱１の天井と床（図示せず）との間に立設する。そして、突っ張り棒３ａと突っ張り棒３ｂとの間に取付け金具４で開閉用窓５ａを有する断熱隔壁５を取付け、突っ張り棒３ｂと突っ張り棒３ｃとの間に取付け金具４で開閉用窓６ａを有する断熱隔壁６を取付け、また、突っ張り棒３ｃと突っ張り棒３ｄとの間に取付け金具４で断熱隔壁７を取付け、さらに、突っ張り棒３ｃと突っ張り棒３ｅとの間に取付け金具４で冷凍ユニット２を覆うように側面８ａ、８ｂと底面８ｃからなる断熱隔壁８を取付ける。
【０００８】
断熱隔壁５、６、７の下端は荷箱１の床に当接し、断熱隔壁５，６，８の上端は荷箱１の天井に当接し、断熱隔壁７の上端は断熱隔壁８の底面８ｃに当接している。突っ張り棒３ａは荷箱１の後扉１ｄに当接し、突っ張り棒３ｄ、３ｅは荷箱１の前壁１ａに当接し、断熱隔壁８の底面８ｃは荷箱１の前壁１ａに当接する。
【０００９】
断熱隔壁５、６には、図３に示すように、断熱隔壁５、６の開閉用窓５ａ、６ａの裏面に開閉用窓５ａ、６ａを覆うスライド板５ｂ、６ｂを取付け部５ｃ、６ｃに掛け、断熱隔壁５、６にスライドするように取付ける。開閉用窓５ａ、６ａを開けると、冷凍室の冷気が冷蔵室に流れてゆく。そして、取付け金具４は、図４に示すように断熱隔壁５、６に付着した後、突っ張り棒３ａ、３ｂに嵌合する。
【実施例２】
【００１０】
図５は、トラックの荷箱１にサイドドアー１ｅも設けられている場合、サイドドアー１ｅ側を冷凍室にした状態を表している。
【実施例３】
【００１１】
図６は、トラックの荷箱１にサイドドアー１ｅも設けられている場合、突っ張り棒３ａ、３ｂ、３ｃおよび断熱隔壁５，６だけでサイドドアー１ｅ側を冷凍室にした状態を表している。
【産業上の利用可能性】
【００１２】
トラックの荷箱に突っ張り棒を固定し、突っ張り棒と突っ張り棒との間に断熱隔壁を固定することによって、簡単に、食品が二種の温度差のある食品を輸送することができる。冷凍ユニット付きトラックに利用することできる。
【図面の簡単な説明】
【００１３】
【図１】本考案の一実施例の斜視図である。
【図２】図１に示した実施例の平面説明図である。
【図３】図１に示した断熱隔壁の裏面図である。
【図４】図１に示した取付け金具平面図である。
【図５】本考案の他の実施例を示す平面説明図である。
【図６】本考案の別の実施例を示す平面説明図である
【符号の説明】
【００１４】
１  荷箱
３ａ、３ｂ、３ｃ、３ｄ、３ｅ  突っ張り棒  
４  取付け金具
５ａ  開閉用窓
５、６、７，８  断熱隔壁
【図１】
0003105210.tif 000003
【図２】
0003105210.tif 000004
【図３】
0003105210.tif 000005
【図４】
0003105210.tif 000006
【図５】
0003105210.tif 000007
【図６】
0003105210.tif 000008
(57)【要約】      （修正有）【課題】歯垢が残りやすい歯の裏側を正しく磨くために、柄のヘッド部を内側にわん曲させた歯ブラシを提供する。【解決手段】歯の裏側を正しく磨くために、柄のヘッド部（２）手前を内側に１５度から２５度の範囲内でわん曲させ、口中の形状に合うようにした。内側に曲げられたヘッド部（１）は歯の裏側にブラシ（３）を当てやすく、丁寧な歯磨きができる。【選択図】図１
0003105201.tif 000002
【実用新案登録請求の範囲】
【請求項１】
歯の裏側を正確に磨くために、柄をヘッド手前で内側に１５度から２５度わん曲させ、ヘッドを傾けた歯ブラシ。
【考案の詳細な説明】
【技術分野】
【０００１】  この考案は、歯垢が残りやすい歯の裏側をしっかり磨くように、柄のヘッド部を内側にわん曲させた歯ブラシである。
［背景技術］【０００２】  従来の歯ブラシの柄はほぼ直線状だったので、歯の裏側に正しくブラシを当てることが容易でなかった。
［考案の開示］
［考案が解決しようとする課題］【０００３】  そのため、歯の裏側を十分に磨くことができず、歯石や歯槽膿漏の原因を作ってしまう心配がある。
［課題を解決するための手段］【０００４】  ブラシが付いたヘッド部を内側に、１５度から２５度の範囲内でわん曲させ、ブラシ面が歯の裏側に無理なく当るようにした。
［考案の効果］【０００５】  歯の裏側にブラシを当てやすくなったことで、手首の動きが楽になり、歯垢が残りやすい歯の裏側のブラッシングが丁寧にできるようになる。
［考案を実施するための最良の形態］【０００６】  以下、本考案の実施例について説明する。
口のサイズにより、柄のヘッド部を１５度から２５度の範囲内で内側にわん曲させた歯ブラシを、上下それぞれ歯の裏側に引っ掛けるように当てると、手首も楽にスムーズにブラッシングができる。尚、本考案は以上の理由により、ひとり２本の歯ブラシを持つことを提案するものである。
【図面の簡単な説明】
【０００７】［図１］    本考案の斜視図である
［図２］    本考案の側面図である
［図３］    本考案の使用例である
【符号の説明】
【０００８】１  歯ブラシのヘッド部
２  わん曲させた歯ブラシの柄
３  ブラシ
【図１】
0003105201.tif 000003
【図２】
0003105201.tif 000004
【図３】
0003105201.tif 000005
(57)【要約】【課題】機器が所要の光源を自動的に駆動でき、かつその都度有効な波長における被検試料の屈折率が測定されるように、後置された干渉フィルタを有するＬＥＤの態様のディジタル屈折計内でこれらの波長を実現すること。【解決手段】測定プリズムを有し、該測定プリズムの測定面に被検試料を取付けることが可能なディジタル屈折計において、光源としての色の異なるＬＥＤと、必要な場合に後置される干渉フィルタと、所要の光源を自動的に駆動するための自動駆動ユニットと、その都度有効な光波長における被検試料の屈折率を測定するための測定ユニットとを備えている。【選択図】図１
0003105229.tif 000002
【実用新案登録請求の範囲】
【請求項１】
測定プリズムを有し、該測定プリズムの測定面に被検試料を取付けることが可能なディジタル屈折計において、光源としての色の異なるＬＥＤと、必要な場合に後置される干渉フィルタと、所要の光源を自動的に駆動するための自動駆動ユニットと、その都度有効な光波長における被検試料の屈折率を測定するための測定ユニットとを備えていることを特徴とするディジタル屈折計。
【請求項２】
色の異なるＬＥＤ光源と、必要な場合に後置される干渉フィルタが、特定数の入口アームを有するライトパイプを照らし、前記入口アームが単一の円形照明源となり、前記ライトパイプの入口アームの数がＬＥＤの数と一致していることを特徴とする、請求項１に記載のディジタル屈折計。
【請求項３】
若干数の個別光源を組替えるための光学回折格子を有し、この回折格子が光を色に応じて異なる角度で反射し、色の異なる光源が異なる角度で凹面格子を照らし、色の異なる前記光源と前記格子は光源の光線が前記凹面格子で反射後に単一の光点に集まるような相互角度条件で配置されていることを特徴とする、請求項１に記載のディジタル屈折計。
【請求項４】
屈折計に向かう開口の大きさが色の純度の決定に関与していることを特徴とする、請求項３に記載のディジタル屈折計。
【考案の詳細な説明】
【技術分野】
【０００１】
本考案は、測定プリズムを有し、測定プリズムの測定面に被検試料を取付けることが可能であり、全反射の臨界角も含む角度範囲内で複数の光源によって試料を順次照らすことができ、さらに、反射した光線の当る受光器を有する屈折計に関する。
【背景技術】
【０００２】
屈折計は、通常、波長５８９ｎｍの黄色ナトリウム線を使って液体、固体物質または気体物質の屈折率の測定に利用される。しかし、屈折率は通常、使用する光の波長の関数であり、波長の短い方で上昇することになる。この関数の推移は材料特性について重要な情報を与え、一般にアッベ数として示されている。アッベ数は、３つの波長における屈折率から算術定数として算出されるものである。
【考案の開示】
【考案が解決しようとする課題】
【０００３】
本考案の課題は、機器が所要の光源を自動的に駆動でき、かつその都度有効な波長における被検試料の屈折率が測定されるように、後置された干渉フィルタを有するＬＥＤの態様のディジタル屈折計内でこれらの波長を実現することである。引き続き後続の光源が有効にされ、測定が繰り返される。
【課題を解決するための手段】
【０００４】
技術的実現態様では、ＬＥＤと必要な場合に後置される干渉フィルタとからなる色の異なる光源が、入口と同数のアームを有するライトパイプを照らし、アームが単一の円形照明源となっている。この点については、図１で示されている。
【０００５】
他の変更態様では、多アームライトパイプに代えて、若干数の個別光源を組替える(Rekombination)ための光学回折格子を利用することができ、これにより光学構造は簡素化されることになる。この点については、図２の原理図で示されている。
【考案を実施するための最良の形態】
【０００６】
その際、光を色に応じて異なる角度で反射する光学格子の性質は、有利なことに、異なる入射角度のもとで色の異なる光源を組替えるのに利用される。赤色、黄色、緑色および青色ＬＥＤが正しい角度で凹面格子を照らし、反射後に単一の光点に集まるように、光源は配置されている。ところで、ＬＥＤが相前後して作動されると、屈折計は照明として任意に選択された波長の供給を受け、相応に測定を実施することになろう。しかも、この技術的解決は、高価な干渉フィルタを場合によっては利用する必要がないという利点を有している。というのも、屈折計に向かう開口の大きさが色の純度の決定に関与するからである。それと共に、入射開口の大きさを介して、光の半値幅は一定の限界内で調整することができる。
【０００７】
ＬＥＤ光源の数は、このような多アームライトパイプの間の幾何学的に達成可能な最小距離とその技術的能力とによってそれ自体限定されている。波長の選択は一定の限界内で自由に行うことができる。
【図面の簡単な説明】
【０００８】
【図１】本発明の実施形態に係る屈折計を説明するものであり、LEDと干渉フィルタとからなる色の異なる光源がアームライトパイプを照らしている状態を示す概略図である。
【図２】本発明の変更態様に係る屈折計を説明するものであり、アームライトパイプに代えて光学回折格子を利用したものを示す概略図である。
【図１】
0003105229.tif 000003
【図２】
0003105229.tif 000004
(57)【要約】【課題】  本考案は、燃焼時溶解したローの塊を容易に除去することができ、清掃を容易にする。【解決手段】  本考案はローソク立ての溶解したローが接する部分を平滑性または撥性を有した面で構成し、柱の断面を真円形とすることにより、ローソク立ての基本的な外観、用法を変更せず、ローの塊の除去を容易にし、労務的負担の軽減、衛生の向上、ローソク立ての損傷防止に役立つ。【選択図】  図１
0003105254.tif 000002
【実用新案登録請求の範囲】
【請求項１】
ローソク立てにローソクと接する部材を設け、燃焼時溶解したローが密着固化する当該部材の接触面を平滑または撥性を有した面で構成し、なおかつローソクを支持する柱の断面を真円形とすることを特徴とするローソク立て
【考案の詳細な説明】
【技術分野】
【０００１】  本考案は、溶けたローとの接触面に平滑または撥性を有した部材を設けたローソク立てに関するものである。
【背景技術】
【０００２】  ローソク立ては使用に連れてローが付着し、家庭の仏壇で住職が読教する際に新しいローソクを供えるために清掃する必要が発生した場合、住職がローソク立てにこびりついたローを落とすため、割り箸や手指などで強くこすって清掃していた。
【考案の開示】
【考案が解決しようとする課題】
【０００３】  葬儀、法事、日常的な仏壇のお参りなどの宗教行事においては、真鍮製のローソク立てが多く用いられる。真鍮製のローソク立てはローソクの燃焼によって熱せられるので使用中、使用直後に清掃することは危険である。その製造方法は鋳造した部材を旋盤加工で仕上げるため加工跡が残っており、冷却後凝固したローを完全に除去することは非常に困難である。また、多くの人はローソク立てを清掃する際に無意識に回転方向に力を加えるが、ローソクを支持する柱の断面は必ずしも真円形ではないため、残ったローの塊をいたずらに破壊して清掃が難しくなる。従って、使用を重ねるに連れて溶解凝固したローがローソク立てに強固に付着する。そのため、特に家庭の仏壇のローソク立てにおいては充分な清掃が行われない。清掃せずに新しいローソクを供えることは、燃焼しているローソクが不安定になるという危険があるため、家庭の仏壇で住職が読教をする際などには、法衣のまま、ありあわせの割り箸や手指で清掃しなければならず、労働的負担が大きく、また、ローの飛散や衣類や手指への付着など衛生的でない。加えて、ローソク立ての損傷を招くこともある。なお、過去に使い捨ての部材をローソク立てとローソクとの間にはさむという考案も行われているが、消耗品では散逸することがあるため、実用化されていない。
なお、重いローソクを使用するローソク立てではローソク底面の穴を押し広げて支持するように「柱」が和釘の形状をしているが、家庭用のローソク立てでは必要ない。
【課題を解決するための手段】
【０００４】  本考案は、ローソク立てに、溶けたローとの接触面に平滑または撥性を有するように構成した部材を設けることで清掃を容易にすることにより、ローソクの安定、労働的負担の低減、衛生の向上、宗教用具の傷防止、消耗品を不要にすることにより問題を解決している。
【考案の効果】
【０００５】  上記のように、本考案ではローソク立ての外観や用法を大きく変更せずに部材を設けることによって清掃を容易にするもので、家庭で老人でも清掃ができることで使用時にローソクが安定し、同様に住職にとっても労働的負担が低減し、清掃に力がいらず住居内のローの散逸や衣服の汚れなどの衛生面での損害やローソク立ての損傷を防止することに役立つ。ローソクもローソク立ても軸対象形状なので、燃え残りのローソクを除去する際に自然に回転方向に力を加えるので、清掃方法について技能や詳細な説明も不要である。
【考案を実施するための最良の形態】
【０００６】  ローソク立ての溶けたローとの接触面を平滑または撥性を有するように構成するため、本考案では、ローソクを支える柱と深まっていて清掃が困難なローソク立ての皿の中心部のみを、機械加工、化学研磨、鍍金、潤滑塗料の塗装などでローソク立てと一体の部材として構成するかあるいは潤滑面を持つ部材の装着により一体化して構成する。
【実施例】
【０００７】  以下、添付図面に従って２実施例を説明する。図面はどちらも断面図である。１は真鍮製ローソク立ての上部の部分を、２はローソクを支える柱である。ローソク立ての上部の部分は、溶解したローが熱いまま流れ出ることを防ぐために皿状になっている。３は皿状の部分の底部に構成された撥性を有する部分である。図面１において、１には図面上で垂直に雌ねじが切られており、３は中心に穴の開いた円盤（ワッシャ）の形状をしたアルミニウム平板で、３ａの側にはフッ素系の樹脂をコーティングしてある。両者は、図面上で下方に雄ねじを形成し、化学研磨により２ａ部分を平滑に仕上げた軸対象の２のローソクを支える柱をねじ込むことによって強固に締結されている。この構造により、溶けたローとの接触面を平滑または撥性を有する部材で構成している。同じく、図面２において、１には図面上に上方から下方に丸穴が形成されており、優れた平滑面が形成できるセンタレス研磨をほどこした、１の穴より若干大きな外形の丸棒２が打ち込まれて強固に結合されている。１の３ａの部分には耐熱性を持つフッ素系潤滑塗装が施されていることで、図面１と同様の機能を発揮する。図面１の実施例と比較して、どちらかと言えば小型のローソク立てに向く簡潔な構造である。【０００８】  ローソクの燃焼で溶けたローは上記の「柱」及び「皿」に付着して使用後凝固するが、通常は根本まで燃焼させることがないので、「柱」の周囲及び「皿」の上部に残ったローの塊を取り除く際に柱を中心に回転するように力を加えれば、ローの塊は撥性を有するように構成した皿から剥離した部分が容易に回転する。また、断面が真円で平滑に構成した「柱」の周囲では回転によってローの塊を押し広げる力が働かないため塊が分裂せず、薄い層を残しながら破断して回転するようになる。以上を総合して、従来の構造のローソク立てよりも容易に再使用に耐える程度までローを除去することができる。なお、２の柱について、図面１の実施例では適切にテーパーを形成することにより、図面２の実施例では２の全長を長くすることでローソクが不安定になることを防止できるので、２の柱の断面を真円形にすることに安全上の問題はない。
【産業上の利用可能性】
【０００９】  本考案の実施例は上述のごとき構成からなるもので、ローソク立ての溶けたローとの接触面を平滑または撥性を有するようにしたものであるから、ローソク立ての基本的な外観や用途、用法を変更せずに清掃を容易にするものである。
【図面の簡単な説明】
【００１０】
【図１】本考案のローソク立ての実施例を示すローソク立て上部の断面図である。
【図２】同じく、柱の形状などの構造が異なる実施例の断面図である。
【符号の説明】
【００１１】    １  ローソク立ての上部
２  ローソクを支持する柱
２ａ  本考案で平滑性または撥性を有する必要がある部分
３  平滑性または撥性を有する１に固定される部材
３ａ  本考案で平滑性または撥性を有する必要のある部分（部材もしくは皿底部）
【図１】
0003105254.tif 000003
【図２】
0003105254.tif 000004
(57)【要約】【課題】  造型が難しかった電球、ＬＥＤ、ＥＬ等を用いた縄状の電飾装置（ライトチュブ）を簡単に簡単に造型できるようにする。【解決手段】合成樹脂やその他の材質で製造した複数の穴の開いた板状器具に同様の材質で製造した脱着ができる棒状器具（ピン）を差し込み、そのピンに添ってライトチューブを這わす事により自由な造型ができる様にした。板状器具は連結できる構造とする事により複数の器具を連結し大きな造型にも対応できるようにする。また材質に透明素材を使用することにより、下に敷いた型紙の通りにライトチューブを這わす事ができる為、経験や知識の無い者でも簡単に造型する事ができる。【選択図】  図１
0003105256.tif 000002
【実用新案登録請求の範囲】
【請求項１】
合成樹脂やその他の材質で製造した複数の穴の開いた板状器具に同様の材質で製造した脱着ができる棒状器具（ピン）を差し込み、そのピンに添って電球、ＬＥＤ、ＥＬ等を用いた縄状の電飾装置（ライトチューブ）を這わす事により自由な造型ができる様にした連結可能な器具。
【考案の詳細な説明】
【考案の開示】
【考案が解決しようとする課題】
【０００１】従来、ライトチューブ式電飾装置（以下ライトチューブ）は存在していたが、その使用にあっては単体で壁や屋根等に固定するか予め造型された針金等に固定された製品しか存在せず、使用者が自由な造型をすることは困難であった。
【課題を解決するための手段】
【０００２】上記問題を解決するために、合成樹脂やその他の材質で製造した複数の穴の開いた板状器具に同様の材質で製造した脱着ができる棒状器具（ピン）を差し込み、そのピンに添ってライトチューブを這わす事により自由な造型ができる様にした。板状器具は連結できる構造とする事により複数の器具を連結し大きな造型にも対応できるようにする。また材質に透明素材を使用することにより、下に敷いた型紙の通りにライトチューブを這わす事ができる為、経験や知識の無い者でも簡単に造型する事ができる。
【考案の効果】
【０００３】この器具を使用すれば誰でも簡単に独自的、独創的な造型を行う事ができる。また、何度でも作り替えて使用する事が出来るため複数の製品を購入する必要が無く大変経済的である。
【図面の簡単な説明】
【０００４】
【図１】  装置全体の斜視図である。
【図２】  装置の側面図である。
【図３】  装置にライトチューブを置いた時の上面図である。
【符号の説明】
【０００５】１  棒状器具（ピン）
２  棒状器具の差込み穴
３  ライトチューブ
【図１】
0003105256.tif 000003
【図２】
0003105256.tif 000004
【図３】
0003105256.tif 000005
(57)【要約】【課題】  本考案は髭剃り時、剃った髭が飛散、床その周辺を汚すので、剃った髭を受けとめる用具を提供するものである。【解決手段】  シ−トの一部を袋状に縫製し、形状維持が可能な薄い型板を差し入れる。面紐状に立ち上げたシ−トの両端（３ａ、３ｂ）を装着者の首まわりに合わせて装着する。このとき、型板部分のシ−トは装着者の体前面に角度をもって谷をつくる。【選択図】  図３
0003105252.tif 000002
【実用新案登録請求の範囲】
【請求項１】
シ−トの一部を袋状に縫製し、形状維持が可能な薄い型板（１）を出し入れできるようにした開閉部（２）を重ね合わせて閉じ、相対する合着面の適位置に面ファスナ−を設け備えた剃った髭の飛散防止具。
【請求項２】
シ−トの両端（３ａ、３ｂ）を所要の幅に折り込んで縫合し、幅広の面紐状として立ち上げ、両端を重ね合わせて合着させる部位に相対する一方の面（４ｂ）の適位置（５ａ、５ｂ、５ｃ）の３箇所に面ファスナ−を装着し、一方の面（４ａ）の先端部位に（５ａ、５ｂ、５ｃ）の何れかを選択して相対合着する面ファスナ−（６ａ）を設けた請求項１記載の剃った髭の飛散防止具。
【請求項３】
襠部分（７ａ、７ｂ）をやや緊張させ、薄い型板（１）を入れた平坦部（８）の前方先端部位（９）が水平に対し２５度乃至プラス、マイナス５度程度上向きの傾斜形態を採るように構造縫製した請求項１、２記載の剃った髭の飛散防止具。
【考案の詳細な説明】
【技術分野】
【０００１】  本考案は、髭剃り時剃った髭が飛散並びに落下するのを受け止め収容する用具に関するものである。
【背景技術】
【０００２】  従来、髭剃り時に利用する用具としては、（特開２００２−２２４４６９）電気髭剃り器用前掛けとして、落下した剃り髭の捕捉をミシン目を入れた無数の細かな凸凹形となる突起を形成してなるものがあった。【０００３】  又、（特開２００２−２６６１２３）髭剃り時用衣類防止エプロンとして、剃刀で髭を剃る場合用で、水気を吸い取る布と水気を通さない布を表裏として、首に沿って巻くエプロン状のものがあった。
【考案の開示】
【考案が解決しようとする課題】
【０００４】  解決しようとする問題点は、剃刀で剃った髭も、電気髪剃り器を使用した場合でも、又子女の前髪の調髪する場合でも、髭や髪が床等に落下飛散するのを受け止め完全に収容する機能を得ることである。
【課題を解決するための手段】
【０００５】  髭を剃る人、前髪の調髪する人の首の下前面上部に、斜めに形状維持が可能な型板を取りつけた部分を保持したシ−トを装着する。
【考案の効果】
【０００６】  剃った髭、髪がシ−トに付着し、床その周辺には飛散せず衛生的である。また衣服も汚さない。
【考案を実施するための最良の形態】
【０００７】  シ−トの一部に袋状部分を設け、形状維持可能な型板を出し入れできるようにしておく。シ−トが汚れたとき、洗うことができる。【０００８】  型板の大きさは横３５〜４０ｃｍ、縦３０〜３５ｃｍ、厚さ３〜５ｍｍで軽量のものを用いる。シ−トはメッシュの小さいものを用いる。【０００９】  装着部の面紐状部分の一方図１正面図（３ｂ）は装着者の首まわりに合わせるため面ファスナ−を３ヶ所（５ａ、５ｂ、５ｃ）設けてある。子供でも大人でも使用可能である。
【実施例１】
【００１０】  図１、正面図（６ａ）と（５ａ）（５ｂ）（５ｃ）のいずれかを装着者の首まわりに合わせ合着するだけで簡単に装着可能。取りはずしも簡単である。
【実施例２】
【００１１】  本考案は介護にも使用できる。食事の介助時、食物などを床にこぼすことなく、後始末が簡単である。
【図面の簡単な説明】
【図１】  本考案の正面図である。
【図２】  本考案の右側面図である。
【図３】  本考案の斜視図である。
【符号の説明】
１      型板
２      開閉部
３ａ    面紐状のシ−トの左端
３ｂ    面紐状のシ−トの右端
４ａ    面紐状の左シ−ト面
４ｂ    面紐状の右シ−ト面
５ａ    面ファスナ−
５ｂ    面ファスナ−
５ｃ    面ファスナ−
６ａ    面ファスナ−
７ａ    左襠
７ｂ    右襠
８      型板を入れた平坦部
９      型板を入れた時の前方先端部位
【図１】
0003105252.tif 000003
【図２】
0003105252.tif 000004
【図３】
0003105252.tif 000005
(57)【要約】【目的】  心身の疲労した特に老人，病人を含む一般人も睡眠，休息中に安楽な姿勢で疲労，健康を回復し易くし、尚猫背，腰曲がり，肩こり等も予防，矯正し易くする。【構成】  稍硬質の背骨反らせ下マット２の上にそれより軟質の背骨反らせマット１を乗せた上面に、それとほぼ同質で稍小型の胸反らせマット３を乗せ、それら各マット１，２，３の後上部下面に枕４又は枕乗せ台６夫々の先端の厚さの薄い部５又は７を挟み入れる。【選択図】  図２
0003105257.tif 000002
【実用新案登録請求の範囲】
【請求項１】
下面がほぼ水平で、上面が前後方向中央に盛り上がるように、稍軟質物質で成型する背骨反らせマット（１）。
【請求項２】
請求項１記載の稍軟質物質より硬質な素材で、下面がほぼ水平で上面が前後方向中央に盛り上がるように成型する背骨反らせ下マット（２）。
【請求項３】
請求項１記載の背骨反らせマットの後上面に乗せる、下面がほぼ水平で上面が前後方向中央に盛り上がる山型状の胸反らせマット（３）。
【請求項４】
請求項１，２，３記載の各マット（１，２，３）の後下面に、枕（４）又は枕乗せ台（６）夫々の先端の厚さの薄い部（５，７）を挟み入れた寝具。
【考案の詳細な説明】
【産業上の利用分野】
【０００１】  寝具，健康寝具。
【背景技術】
【０００２】  従来，背骨を反らして睡眠，休息する寝具は考えられず、又肺を拡げ反らせながら睡眠する寝具も見受けられない。
【考案が解決しようとする課題】
【０００３】  背骨を反らして睡眠，休息するためにどのような寝具を用いるか。
【０００４】  肺を広げ易くして睡眠するにはどのような寝具を用いるか。
【課題を解決するための手段】
【０００５】  ０００３には、背骨反らせマット１を単独に、又はその下に背骨反らせ下マット２を敷いて用いる。（図１）
【０００６】  ０００４には、胸反らせマット３を用いる。（図２）
【０００７】  胸反らせマット３を用いる時に、枕４の下面に枕乗せ台６を用い、枕４，枕乗せ台６夫々の下先端に厚さの薄い部６，７を設ける（図２，３）
【作用】
【０００８】  背骨反らせマット１が稍軟質で、使用する人の上半身が重すぎる時にはその下面に、背骨反らせ下マット２を用い、共に背骨を反らせる習慣をつけて、特に老人の猫背，腰曲がりを予防し、姿勢の矯正に役立てる。（図１）
【０００９】  ０００６の胸反らせマット３は、背骨の上部の胸部にある肺を反らせ広げ易くして、肺活量を増し、深呼吸に近い効果を睡眠，休息中にもたらし、疲労の回復を速める。（図２）
【００１０】  ０００７の枕乗せ台６は、背骨反らせマット１と胸反らせマット３により、頭部が高くなって、頭後面を載せる枕４も高くする必要があるので枕４の下面に置き、首とそれを支える肩部が疲れて肩こり，首痛が発生するのを防ぐ。（図２）枕４は矢印１３へ前後移動して上半身１８の胸部の高さを調節する。
【００１１】  背骨反らせマット２，背骨反らせマット１，胸反らせマット３，枕乗せ台６の使用により、上半身頭部を高く傾斜させて、心臓と肺の疲労回復を早め、脳への充血による脳梗塞等の脳疾患発生を少くし得る上半身傾斜ベッドを用いる必要性を少くし得、上半身傾斜ベッドの代用となり得る。（図２）
【００１２】  枕乗せ台６，枕４夫々の先端の厚さの薄い部５，７は夫々前後にずらし、背骨反らせマット１，背骨反らせ下マット２，胸反らせマット３夫々の高さを調節し、且大小人，上半身各人の長さ等に合わせ得、尚小人には背骨反らせマット１の代りに胸反らせマット３を用い、又枕４の代りに枕乗せ台６を用い上半身の身長に合わせながら傾斜を調節し得る寝具とし得る。（図２）
【００１３】  背骨反らせマット１，胸反らせマット３の中央盛り上がる山型部を成型するため上半身の背中，横腹の皮膚にソフト稍軟質物体を量産するには合成樹脂製をなるべく用いる。尚縫いぐるみ，木綿布でも成型し得る。（図１，２）
【００１４】  背骨反らせ下マット２は、背骨反らせマット１，胸反らせマット３の型崩れ（上半身８の重量による）を防ぎ上半身８を乗せ支え得る程の硬質（全く硬質では寝具としては不適）の合成樹脂等で成型し、又は堅い縫いぐるみでも成型し得る。（図２）
【００１５】  枕乗せ台６も頭部９と枕４の重さを支え得る程の（００１２で枕４の代りもある）型崩れし難い程度の硬さ（小豆等の固形流動物）に成型する。
【実施例】
【００１６】  図１は背骨反らせマット１の下に背骨反らせ下マット２を置き、その後下面に枕４の先端厚さの薄い部５を挟み入れて置く場合の側面図である。【００１７】  図２は背骨反らせ下マット２の後下面に枕乗せ台６の先端の厚さの薄い部７を挟み入れ、背骨反らせマット１の後上部に胸反らせマット３を乗せる場合の側面図で、その上面に上半身８（頭部９以外を点線）を乗せて睡眠する。【００１８】  図３は図２の斜視図（上半身を除く）で背骨反らせマット１の前下部の横幅１１は上部の枕４の横幅より稍長く成型してある。【００１９】  ００１４に示す背骨反らせ下マット２と、００１５に示す枕乗せ台６は堅目の布（木綿等）を折畳み又は前後幅の異なる物を層状に積重ね縫合しても成型し得るが、量産するには稍軟質の合成ゴム（合成樹脂）等で成型する。【００２０】  図３で胸反らせマット３の前下縁両側にはずれ動きを防止する縫付布１２等を取付け、その前下端を背骨反らせマット１の前下面に折込み止めおく。【００２１】  背骨反らせマット１，胸反らせマット３，枕４，背骨反らせ下マット２，枕乗せ台６の特に上面には、夏季の熱気による蒸れ防止のために、い草，畳表等の通気性の良い物で織り込んだ蔽い物を縫いつけておく。尚下面，側面も通気性の良い布等で包み縫う。
【考案の効果】
【００２２】  背骨と胸を反らせて睡眠するので猫背，腰曲がりの予防，矯正に役立つと共に。肺呼吸を大きくして疲労の回復を早め易く、先端の厚さの薄い枕乗せ台６も使用して肩から首の高さを調節して最もらくな姿勢で睡眠し、肩こりの予防，矯正にも効果がある。
【図面の簡単な説明】
【図１】背骨反らせマット１等を用いる側面図（上半身８を点線で示す）。
【図２】背骨反らせマット１と胸反らせマット３を用いる際の側面図。（枕乗せ台６が使用される）。
【図３】図２から上半身８（頭部以外は点線）を除いた斜視図。
【符号の説明】
１−−−−背骨反らせマット（ほぼ水平な下面は２の上で山型状になる、図１，２）
２−−−−背骨反らせ下マット
３−−−−胸反らせマット（ほぼ水平な下面は４，６の上で凹み型になる，図２）
４−−−−枕
５−−−−（４の）先端の厚さの薄い部
６−−−−枕乗せ台
７−−−−（６の）先端の厚さの薄い部
８，９−−上半身（点線），９は頭部（実線で示す）
１０−−−−硬質マットレス
１１−−−−（１の前下部の）横幅
１２−−−−（ずれ動き防止の）縫付け布（点線で記入）
１３−−−−（枕４の前後）移動方向
【図１】
0003105257.tif 000003
【図２】
0003105257.tif 000004
【図３】
0003105257.tif 000005
(57)【要約】      （修正有）【課題】解決しようとする問題点は、管理作業機を軽トラックなどの荷台に載せて移動する際にロープなどでしっかりと固定してもバランスを崩しやすい点である。【解決手段】ロータ４と駆動輪５を前後に配備しハンドル６を有する歩行型管理作業機１の機台の最後部底面に、下向きに開口し、その開口裾部が外側へ広がった左右方向に長い溝を備える嵌合具１０を機台に一体的に取り付け、この嵌合具の溝を荷台のテールゲート上辺に嵌合して前記ロータ又は駆動輪の少なくとも一方を荷台より浮上させる。【選択図】図１
0003105244.tif 000002
【実用新案登録請求の範囲】
【請求項１】
ロータと駆動輪を前後に配備しハンドルを有する歩行型管理作業機において、
その機台の最後部底面に下向きに開口した左右方向に長い溝を備える嵌合具を機台に一体的に取り付け、この嵌合具の溝を荷台のテールゲート上辺に嵌合して前記ロータ又は駆動輪の少なくとも一方を荷台より浮上してなる荷台係止装置。
【請求項２】
前記嵌合具の溝は、その開口裾部が外側へ広がっていることを特徴とする請求項１記載の荷台係止装置。
【考案の詳細な説明】
【技術分野】
【０００１】
本考案は、歩行型管理作業機をトラックなどの荷台に載せて運搬する際に、安定性を向上させる荷台係止装置に関する。
【背景技術】
【０００２】
歩行型管理作業機は、エンジンを搭載した機体にロータと駆動輪を前後位置に取付けて、ハンドルによって操縦する小型のものが一般的である。小型の管理作業機は小回りが利くため、狭い畑や畝間などでの作業に適しており、補助具などを取付けることによって、多くの作業に対応することが出来て、畑の耕起、中耕除草、畝立て、土寄せなどの作業が労力を要せず、効率的に行える。
【０００３】
畑から別の畑への移動では、管理作業機を軽トラックなどの車両の荷台に載せ、ロープなどを巻いて固定して運搬することがあるが、車両の右左折や路面の状態によってバランスを崩しやすいため何重にもロープを巻いて固定する必要があり、移動のたびに何重にもロープをかけたり、かけたロープを解いたりするのは面倒であった。
また、ロープを巻いてしっかりと固定しても、巻きかたによっては管理作業機は不安定な状態になってバランスを崩しやすく、傾いたり倒れたりして機体の故障や損傷の原因となっていた。
【考案の開示】
【考案が解決しようとする課題】
【０００４】
解決しようとする問題点は、歩行型管理作業機を軽トラックなどの車両の荷台に載せて輸送する際にロープなどでしっかりと固定してもバランスを崩して傾いたり倒れたりしやすい点であり、本考案は管理作業機を荷台に載せて輸送する際に安定に固定することを目的としてなされたものである。
【課題を解決するための手段】
【０００５】
本考案は、ロータと駆動輪を前後に配備し、ハンドルを有する歩行型管理作業機の機台の最後部底面に、下向きに開口した左右方向に長い溝を備える嵌合具を機台に一体的に取り付け、この嵌合具の溝を荷台のテールゲート上辺に嵌合して、前記ロータ又は駆動輪の少なくとも一方を荷台より浮上させるべく構成したことを最も主要な特徴とする。
【考案の効果】
【０００６】
本考案に係る管理作業機は下向きに開口した左右方向に長い溝を備える嵌合具を有し、この嵌合具が軽トラックなどの荷台のテールゲートに係止可能に構成されているため、ロープを何重にも巻くような手間を必要とせずに簡単に固定でき、移動中に管理作業機が傾いたり倒れたりする心配がないという効果がある。
【考案を実施するための最良の形態】
【０００７】
第１図は管理作業機１の側面図を示している。
管理作業機１はエンジンベース２にエンジン３を搭載し、このエンジン３によって前後位置に配置されたロータリ作業装置４と駆動輪５を駆動してハンドル６により操縦する。ロータリ作業装置４には土の飛散防止または飛散位置調節のためのロータリカバー７が設けられている。また、機体前方には機体の姿勢を保持する保持輪８が設けられており、保持輪８の高さを変えることでロータリ作業装置４による作業深さを調節することができる。この管理作業機１のエンジンベース２のハンドル６側下部には下向きに開口した左右方向に長い溝を備える嵌合具１０が設けられている。
【０００８】
第２図は嵌合具１０の斜視図を示している。
嵌合具１０は略長方形状の長板の長さ方向に溝部１１を設けて断面略逆Ｕ字型に形成しており、裾部１２は外側に広がっている。この嵌合具１０は、その溝部１１を機体の左右方向に向けて取付けられており、軽トラックなどの荷台２０のテールゲート２１に係止される。軽トラックの荷台２０のテールゲート２１はその厚さが３０〜４０ｍｍ程のものがほとんどであり、嵌合具１０の溝部１２の幅もそれに合わせて３５〜４５ｍｍに形成する。また、テールゲート２１の高さは約３００ｍｍで、嵌合具１０はそれよりも数ｃｍ程度低い位置に取付ける。
【０００９】
第３図は嵌合具１０の作用図であり、管理作業機１は軽トラックなどの荷台２０に載せられている。また、荷台２０のサイドゲートの図示を省略している。
軽トラックの荷台２０の長さはどの車種でも約２ｍ弱であり、小型の管理作業機１が余裕をもって乗せられる広さである。この荷台２０に歩み板を架けるなどして管理作業機１を乗せ、後部よりに戴置する（図３（ａ））。次に、荷台２０のテールゲート２１を起こすと、嵌合具１０の裾部１２は外側に広がっているため、テールゲート２１の先端は嵌合具１０にかかり（図３（ｂ））、さらにテールゲート２１を押し込んで直立状態にして、嵌合具１０に嵌め合わせることができる（図３（ｃ））。
【００１０】
テールゲート２１を押上げる動作で、てこの原理により約１００Ｋｇ程度の重量のある管理作業機１を持上げて嵌合具１０をテールゲート２１に嵌め合わせることが可能で、労力を要せずに管理作業機１を安定に固定できる。また、嵌合具１０はテールゲート２１の先端の位置よりも数ｃｍ程度低い位置に取付けられており、嵌合状態で駆動輪５は荷台２０から浮上がるため嵌合具１０に機体の重さがかかり、これによりテールゲート２１と嵌合具１０とが確実に嵌合して、管理作業機１はより安定した状態を保つ。
【図面の簡単な説明】
【００１１】
【図１】管理作業機の側面図。
【図２】嵌合具の斜視図。
【図３】嵌合具の作用図。
【符号の説明】
【００１２】
１    管理作業機
２    エンジンベース
３    エンジン
４    ロータリ作業装置
５    駆動輪
６    ハンドル
７    ロータリカバー
８    保持輪
１０  嵌合具
１１  溝部
１２  裾部
２０  荷台
２１  テールゲート
【図１】
0003105244.tif 000003
【図２】
0003105244.tif 000004
【図３】
0003105244.tif 000005
(57)【要約】【課題】    洗濯してもなかなか落ちずに残ってしまうシャツの襟垢、汚れ、汗を取り、夏場や、汗っかきの人の襟に汗がにじむのを防止する。【解決手段】本考案は、女性の生理用ナプキン等の吸水性、保水性、逆流防止機能、装着する衣類との接着面をもつ素材をシャツの襟内側の形状にカットしたもので、使用時襟内側に接着面を貼り付ける事で、首筋が直接シャツの襟に触れる事をなくした上で、襟の垢、汚れ、汗を取り、且つ汗のにじみを防止する。【選択図】  図２
0003105249.tif 000002
【実用新案登録請求の範囲】
【請求項１】
女性の生理用ナプキン等の吸水性、保水性、逆流防止機能、装着する衣類との接着面をもつ素材をカッターシャツ等の襟の内側の形状にカットしたもので、使用時にシャツの襟内側に装着する、シャツの襟垢、汚れ、汗取り及び、汗のにじみ防止使い捨てパッド。
【考案の詳細な説明】
【考案の開示】
【考案が解決しようとする問題】
【０００１】  カッターシャツ等の襟の汚れは、洗濯をしてもなかなか落ちず、汚れ、垢が、襟の内側に染み付いて残ってしまうという問題点があった。
又、夏場や汗っかきの人は、シャツの襟に汗がにじんでしまい、見苦しさや、不潔感を与えてしまうという問題や汗のにじみの目立つカラーシャツ等は、着られないという問題点があった。
【課題を解決する為の手段】
【０００２】  女性の生理用ナプキン等の吸水性、保水性、逆流防止機能、装着する衣類との接着面をもつ素材をシャツの襟内側の形状にカットしたもので、使用時、襟内側に接着面を貼り付ける事で、首筋が直接シャツの襟に触れる事をなくした上で、襟の垢、汚れ、汗を取り且つ汗のにじみを防止することで、問題点を解決しています。
【考案の効果】
【０００３】  従来は、シャツの襟に付いてしまった垢、汚れ、汗による黄ばみを洗剤や、漂白剤で洗い流そうとして、なかなか落ちなかったが、本考案のシャツの襟垢、汚れ及び汗取り使い捨てパットは、襟と首筋の間に装着するので、首筋が直接シャツの襟に触れる事がなく、その上で本考案が、襟の垢、汚れ、汗を取り、且つ使い捨てなので衛生的で、これまで着られなかった汗のにじみの目立つカラーシャツ等も着られます。
【図面の簡単な説明】
【０００４】
【図１】本体及び素材の断面図
【図２】本体装着時の図面
【符号の説明】
【０００５】１    吸水、逆流防止機能付き肌接触面
２    保水層
３    衣類との接着面
【図１】
0003105249.tif 000003
【図２】
0003105249.tif 000004
(57)【要約】【課題】    夏場や、汗っかきの人のズボンの腰廻りや、お尻の割れ目に沿った部分の汗のにじみや、ビニィール等の素材の椅子に座った後に立ち上がったときに汗の筋が椅子に残るのを防止する。【解決手段】本考案は、女性の生理用ナプキン等の吸水性、保水性、逆流防止機能、装着する衣類との接着面をもつ素材をパンツ（下着）の内側後の腰廻りから、お尻の割れ目に沿ってＴの字の形状にカットしたもので、使用時パンツ（下着）の内側後に接着面を貼り付ける事で、装着部分の肌がパンツ（下着）に直接触れなくした上で、汗を取りズボンのにじみ、椅子等の汗の筋の付着を防止する。【選択図】図２
0003105250.tif 000002
【実用新案登録請求の範囲】
【請求項１】
女性の生理用ナプキン等の吸水性、保水性、逆流防止機能、装着する衣類との接着面をもつ素材をパンツ（下着）の内側後の腰周りから、お尻の割れ目に沿ってＴの字の形状にカットした、使用時にパンツの内側後に装着する汗取り使い捨てパッド。
【考案の詳細な説明】
【考案の開示】
【考案が、解決しようとする課題】
【０００１】  夏場や、汗っかきの人は、ズボンの腰廻りや、お尻の割れ目に沿った部分に汗がにじんだり、ビニィール素材の椅子に座った後に立つと、汗の筋が椅子に残ったりして、見苦しさや、不潔感を与えてしまうという問題点や、汗のにじみの目立つカラーズボン等は、着られないという問題点があった。
【課題を解決する為の手段】
【０００２】  女性の生理用ナプキン等の吸水性、保水性、逆流防止機能、装着する衣類との接着面をもつ素材をパンツ（下着）の内側後の腰廻りからお尻の割れ目に沿って、Ｔの字の形状にカットしたもので、使用時パンツ（下着）の内側後に接着面を貼り付ける事で、装着部分の肌がパンツ（下着）に直接触れなくした上で、汗を吸い取る事で問題点を解決しています。
【考案の効果】
【０００３】  従来は、一時的な効果の制汗スプレーくらいしかありませんでしたが、本考案は、下半身で汗のかきやすい、集まりやすい腰廻りからお尻の割れ目にかけて、Ｔの字の形状にカットされた吸水性、保水性、逆流防止機能、衣類との接着面をもつ素材を適確に装着するので、汗取り効果も高く且つ、使い捨てなので衛生的です。
又、汗のにじみの目立つカラーズボンも着られ、椅子に座った後も気にせずに立ち上がれます。
【図面の簡単な説明】
【０００４】
【図１】本体及び、素材の断面図
【図２】本体装着時の図面（後姿）
【符号の説明】
【０００５】１    吸水、逆流防止機能付き肌接触面
２    保水層
３    衣類との接着面
【図１】
0003105250.tif 000003
【図２】
0003105250.tif 000004
(57)【要約】【目的】  釣り板オモリの空回り防止機構を有するオモリ軸を得る。【構成】  頭部１、２にかべ３、４を設けた巻き軸５にらせん溝６を設ける。【選択図】  図１
0003105294.tif 000002
【実用新案登録請求の範囲】
【請求項１】
頭部（１、２）にかべ（３、４）を設けた巻き軸（５）にらせん溝（６）を設けたオモリ軸。
【考案の詳細な説明】
【考案の詳細な説明】
【産業上の利用分野】
本考案は、釣り板オモリの空回り防止機構を有するオモリ軸に関する。
【背景技術】  従来、板オモリを巻き付けるオモリ軸の巻き軸は、板オモリを形よく巻き付けるために円筒形に仕上げる。
【考案が解決しようとする課題】
しかし、巻き軸に巻き付けた板オモリが、巻き軸を中心に空回りしてしまう問題点があった。
よって、その問題点を解決するために、釣り板オモリの空回り防止機構を有するオモリ軸を提供するものである。
【課題を解決するための手段】
上記目的を達成するために、頭部にかべを設けた巻き軸にらせん溝を設けたものである。
【作用】
この使用法は、巻き軸に巻き付ける板オモリ（７）の先端部を、らせん溝のはばを目安に切って１、２回巻き、巻き付けた箇所を指の爪を立て押さえ込み、らせん溝に板オモリを食い込ませる。
【実施例】  実施例について図面を参照して説明する。
巻き軸の巻き付けはば１８ｍｍの中央部に、５ｍｍのはばの間に４、５本のネジ状のらせん溝を設け、そのらせん溝の凸部は巻き軸の直径より太くする。
【考案の効果】
本考案は以上のように構成されているので、巻き軸に巻き付けた板オモリの空回りは、らせん溝のネジ効果によって板オモリの巻き端が頭部のかべにぶつかり阻止される。また、板オモリの巻きはじめは、巻き片寄りがおこりやすいが、本考案の場合、頭部をつまんで軽く回すことで少々の片寄りのなおし調整はできるものである。
【図面の簡単な説明】
【図１】本考案のオモリ軸の実施例を示す側面図である。
【符号の説明】
１、２  頭部
３、４  かべ
５  巻き軸
６  らせん溝
７  板オモリ
【図１】
0003105294.tif 000003